(57)【要約】【課題】注射針自動引き込み式安全注射器を提供する。【解決手段】  シリンジ１、針支持部２、ピストン３を具え、該針支持部はシリンジ前端内に結合して該針支持部頂面２１とシリンジ前端との間に正圧の容室２４を具えると共に、該針支持部は頂面上に突出した第一穿刺部２２を設け、該ピストンは中空のロッドとして内部は負圧の容室３１とし、ロッド前端外壁上に第二穿刺部３３を設け、ロッド前端面と外壁３２をプランジャ４で覆う。ピストンをシリンジ前端に向かって押し込むと、針支持部頂面の第一穿刺部２２がピストン前端のプランジャとロッド前端面に刺さって破壊し、またロッド前端外壁の第二穿刺部３３は前向きに刺さって針支持部頂面２１を切断して、両容室が連通するとロッド内の負圧により切断された針支持部頂面が針とともにピストン内に吸引・収容される。【選択図】  図  ２【実用新案登録請求の範囲】
【請求項１】
注射針自動引き込み式安全注射器において、
シリンジ、針支持部及びピストンからなり、
シリンジは、中空の管状体からなると共にその前端中央に針挿入孔を形成し、
針支持部は、シリンジ前端内部に堅固に結合してその頂面とシリンジ前端の間に正圧の容室を形成すると共にその反対側頂面上に突出して第一穿刺部を設け、更に該針支持部は針をその一部を上記針挿入孔を貫通して外に露出してなり、
ピストンは、内部を負圧の溶室とした中空のロッドから構成され、シリンジ内に挿入して前後に移動して注射薬液を吸入することができるようにすると共に、
ロッド外壁前端上に第二穿刺部を設け、且つプランジャで該ロッドの前端面と外壁を覆い、これによりピストンをシリンジ前端に向かって押したときに、針支持部頂面から上向きに突出して設けた第一穿刺部がピストン前端のプランジャとロッド前端面に刺さって切断・破壊するようにし、ロッド前端外壁の第二穿刺部は前に向かって針支持部頂面に刺さってこれを切断して、二つの容室が連通するようにして、切断された針支持部頂面部分が針を伴って圧力の変化によりピストン内に吸引されるようにして成ることを特徴とする注射針自動引き込み式安全注射器。
【請求項２】
該針挿入孔は、外向きに突出してシリンジの前端に設けられ、その内部に密封樹脂層を充填して設け、該密封樹脂層には針が貫通する通孔を設け、
また、シリンジ前端内部に結合部を設けると共に該針支持部外側にこれと嵌合する結合部材を設けて、針支持部がシリンジ前端内に堅固に結合されるようにして成ることを特徴とする請求項１記載の注射針自動引き込み式安全注射器。
【請求項３】
該シリンジ前端内部に係合溝を設けて前述の結合部とし、該針支持部外側底部に結合縁を設けて前述の嵌合による結合関係を形成するようにして成ることを特徴とする請求項２記載の注射針自動引き込み式安全注射器。
【請求項４】
該第一穿刺部は、針支持部の頂面に環状を呈した突起とし、その外径はピストンの外径より小さく、更に該第一穿刺部の内側と外側にプランジャが入る空間を形成し、該針支持部の第一穿刺部の周囲には第二穿刺部が差し込むように凹溝を設け、プランジャ底部には第一穿刺部が差し込むように凹部を設けて成ることを特徴とする請求項１記載の注射針自動引き込み式安全注射器。
【請求項５】
該第二穿刺部はピストン前端外壁から内径向きに縮小して形成した鋭い環状のテーパ面とし、該ピストン外壁の第二穿刺部上方に環状リブを設けてプランジャの結合を堅固にし、更にピストンがシリンジ前端まで押されると、該環状リブは針支持部に挟持されて、ピストンをシリンジ内に移動制限するようにして成ることを特徴とする請求項１記載の注射針自動引き込み式安全注射器。
【考案の詳細な説明】
【技術分野】
【０００１】
本考案は注射針自動引き込み式安全注射器に関し、特に針支持部頂面とシリンジ前端の間に正圧の容室を具え、ピストン内部を負圧の容室として、ピストンをシリンジ前端まで押すと両容室が通じるようになり、針は圧力の変化によりピストン内に吸入されるようにし、構造が簡単で操作に便利であり、針がピストン内に引き込まれた後は、再びシリンジから出るといった安全面の問題がない医療用品への使用に適した安全注射器に関する。
【背景技術】
【０００２】
医療の過程において、患者への薬物注射による病状コントロールはよく見られる医療行為であり、注射器による薬剤注射は速く効果的な治療法でもあり、医学会で広く採用されている。使用済みの針は患者に接触しており、もし患者の病気に感染性があれば、患者に接触した針も同様に感染性がある。そのため、こういった針の処置には厳重な注意が必要であり、医療従事者や廃棄物処理者が感染性のある針で傷つくのを防止しなければならない。
【０００３】
図９に示すように、初期の注射器aの針bはキャップcをかぶせるだけで針刺し事故を防止していたが、キャップcは針bに合わせて設けられていて該キャップcの開口が非常に小さく、針bを正確にねらわなければ針bをカバーできなかった。そのため医療従事者の安全を守るために、多種の注射針引き戻し式注射器や注射針防護構造などの設計が生み出された。図１０に示すように、いわゆる引き戻し式注射器dは、医療従事者がシリンジeのピストンfを頂点まで押すと、針gをシリンジe内に引き戻すことができ、これにより安全に注射器を廃棄できるようにしている。
【０００４】
しかし現在市場にある注射針引き戻し式の安全注射器は、針をシリンジ内に引き戻す目的は達成できるが、やはり以下のような欠点が存在している。
・  現在の針引き戻し式安全注射器の設計は、主に針支持部やピストンの間に相互に係合する構造（フックやラチェット）を設けて、ピストンのプランジャが最後まで押しこまれると、フックがラチェットに咬みあい、両者がロックされると針支持部と針が共にシリンジ内に引き戻されるようになっており、構造設計と製造工程が複雑なうえ、コストも高くなる。
・  使用時には、医療従事者は両手で針支持部と針をシリンジ内に引き戻さなければならず、力の加え方が悪ければ針ごとピストンを引き出してしまう可能性もあり、不便且つ危険である。針がシリンジ内に引き戻された後、任意に廃棄したり廃棄物処理人員が不注意だったりして、ピストンを前に押せば針が再びシリンジ外に押し出され、引き戻し式構造の意義を失ってしまう。
・  現在の注射針引き戻し式安全注射器は、使用後そのピストンの大部分の体積をシリンジから引き出して露出しなければならず、全体が長くなり、廃棄処理時の体積が増大する。
【特許文献１】特開２００４−１３６０８８号公報
【考案の開示】
【考案が解決しようとする課題】
【０００５】
本考案は公知の注射針引き戻し式安全注射器に普遍的に存在する欠点を解決し、真空負圧と正圧により生じる吸引力と推進力を利用して、針が自動的にピストン内に引き込まれる注射針自動引き込み式安全注射器を提供することを主要目的とする。
【０００６】
本考案はまた、構造が簡単で操作が便利であり、且つ針が再びシリンジから出るという安全上の問題が無い注射針自動引き込み式安全注射器を提供することをもう一つの目的とする。
【課題を解決するための手段】
【０００７】
本考案の注射針自動引き込み式安全注射器は、シリンジ、針支持部及びピストンを具える。該シリンジは中空の管状体とし、その前端中央に針挿入孔を具える。該針支持部はシリンジ前端内部に堅固に結合して、該針支持部に頂面を具え、その上に突出して第一穿刺部を設け、該針支持部に針を具え、該針は針挿入孔を貫通して一部を外に露出し、該針支持部の頂面とシリンジ前端との間に正圧の容室を有する。該ピストンは中空のロッドとし、シリンジ内に挿入でき、前後に移動して注射薬液を吸入できる。該ロッド内部は負圧の容室とし、ロッド前端外壁上に第二穿刺部を設け、更にプランジャで該ロッド前端と外壁を覆う。
【０００８】
以上により、ピストンがシリンジ前端に向かって押し込まれると、針支持部頂面上に突出して設けた第一穿刺部がピストン前端のプランジャを破壊してロッド前端面に刺さり、ロッド前端外壁の第二穿刺部は前向きに刺さって針支持部頂面を切断し、両容室が通じると、切断された針支持部頂面部分が針を伴ってロッド内の負圧によりピストン内に吸引され、収容される。
【考案の効果】
【０００９】
・  本考案は針支持部頂面とシリンジ前端との間に正圧の容室を具え、ピストン内部は負圧の容室とし、ピストンがシリンジ前端に向かって押し込まれると、両容室が通じ、圧力差による吸引力により、針がピストン内に引き込まれるようにしており、構造が簡単で生産コストを削減できる。
・  本考案はピストンをシリンジ前端まで押し込むと、針を自動的にピストン内に引き込むことができるため、操作者は引き抜くように針を戻す必要がなく、操作が便利で省力できると同時に、不適当な力によりピストンを針ごと引き出してしまう問題を避けることができ、更にピストンがシリンジ内に留まるため、廃棄処理時の体積も減少することができる。
・  本考案はピストン上に更に環状リブを設け、プランジャを固定すると共に注射完了後ピストンを完全にシリンジ前端まで押し込むと、該環状リブが針支持部の容室内に入り込んで、該ピストンはシリンジから抜けなくなり、針がピストン内に封じ込まれて、シリンジから抜け出るという安全上の問題が起こらない。
以上のように、本考案が提供する注射針自動引き込み式安全注射器は、産業利用と実用の価値に富んでいる。
【考案を実施するための最良の形態】
【００１０】
図１、図２に示すように、本考案はシリンジ１、針支持部２及びピストン３により構成する。
該シリンジ１は、中空の管状体とし、その前端内部に結合部１０を設け、前端中央に針挿入孔１１を具え、該針挿入孔１１はシリンジ１の前端から外向きに突出して設け、その内部に密封樹脂層１１１を充填して設け、該密封樹脂層１１１に貫通する通穴１１２を設ける。
【００１１】
該針支持部２の外側に結合部材２０を具えることにより、結合部１０と結合して、針支持部２をシリンジ１前端内部に堅固に結合することができる。該針支持部２は、頂面２１を具え、その上に突出して第一穿刺部２２を設け、該第一穿刺部２２は針支持部２の頂面２１に環状を呈した突起とし、その外径はピストン３の外径より小さい。該針支持部２は、針２３を具え、該針２３は通孔１１２を貫通して一部を針挿入孔１１外に露出し、該針支持部２の頂面２１とシリンジ１前端との間に正圧の容室２４を具える。
【００１２】
該ピストン３は、中空のロッドとし、シリンジ１内に挿入でき、前後に移動して注射薬液を吸入できる。該ロッド内部は負圧の容室３１とし、ロッドの外壁３２前端に第二穿刺部３３を設け、更にプランジャ４で該ロッド前端３４と外壁３２を覆い包む。該第二穿刺部３３は、ピストン３の外壁３２前端から内径向きに縮小して形成した鋭い環状のテーパ面とし、該ピストン３外壁３２の第二穿刺部３３上方に環状リブ３５を設けてプランジャ４との結合を堅固にし、プランジャ４底部には第一穿刺部２２が差し込むように凹部４１を設ける。
【００１３】
図２〜図６に示すように、製造時に該シリンジ１前端内部に係合溝を設けて前述の結合部１０を形成し、該針支持部２の外側底部に係合縁を設けて前述の結合部材２０を形成すれば、針支持部２頂面２１とシリンジ１前端との間に正圧の容室２４を設けた時、該針支持部２がシリンジ１の前端内に堅固に結合される。これにより、薬剤投与を完了して注射器を患者から離した後、ピストン３をシリンジ１前端に向かって更に押し込んで（図３、図４に示す）、ピストン３前端面３４と外壁３２を覆うプランジャ４を、シリンジ２頂面２１に上向きに突出して設けた第一穿刺部２２と接触させ、第一穿刺部２２がプランジャ４底部の凹部４１から刺さっていってピストン３前端のプランジャ４とロッド前端面３４を破壊するようにし、またロッド前端外壁３２の第二穿刺部３３はピストン３が前進し続けるために前向きに刺さっていって針支持部２頂面２１を切断する（図５に示す）。この時プランジャ４は、ちょうど第一穿刺部２２の内側と外側に入り、負圧の容室３１と正圧の容室２４は、ピストン３の前端面３４と針支持部２頂面２１とがそれぞれ第一穿刺部２２と第二穿刺部３３により切断・破壊されて連通状態を形成し、切断された針支持部２頂面２１部分はプランジャ４の一部と針２３と共に負圧の圧力変化によってピストン３内に吸引される（図６に示す）。
【００１４】
以上により針２３はピストン３内に収納され、ピストン３が完全にシリンジ１前端まで押し込まれると、ピストン３上に設けた環状リブ３５が針支持部２の容室２４内に入り込むことにより該ピストン３はシリンジ１から抜けなくなり、針２３はピストン３内に閉じ込められるため、抜け出す問題がなくなる。
【００１５】
このほか、図８に示すように、第二穿刺部３３がより容易に針支持部２の頂面２１を破壊できるように、針支持部２の第一穿刺部２２の周囲に第二穿刺部３３が刺さり込む凹溝２５を設けることができる。
【図面の簡単な説明】
【００１６】
【図１】本考案の実施例の立体外観分解図である。
【図２】本考案の実施例の結合後の断面図である。
【図３】本考案の実施例の注射前にシリンジ内に薬剤を含有している断面図である。
【図４】本考案の実施例の第一穿刺部が、プランジャに刺さった状態の略図である。
【図５】本考案の実施例の第二穿刺部が、針支持部の頂面に刺さって切断した状態の略図である。
【図６】本考案の実施例の針支持部頂面部分が針ごとピストン内に吸引された状態の略図である。
【図７】本考案の実施例のピストンが完全にシリンジ前端まで押し込まれた状態の略図である。
【図８】本考案の別の実施例において、針支持部の第一穿刺部周囲に設けた凹溝の局部断面図である。
【図９】公知の針キャップの立体外観図である。
【図１０】公知の針引き戻し式安全注射器において、針をシリンジ内に引き戻した使用状態の略図である。
【符号の説明】
【００１７】
１     シリンジ
１０   結合部
１１   針挿入孔
１１１ 樹脂層
１１２ 通孔
２     針支持部
２０   結合部材
２１   頂面
２２   第一穿刺部
２３   針
２４   容室
２５   凹溝
３     ピストン
３１   容室
３２   外壁
３３   第二穿刺部
３４   前端面
３５   環状リブ
４     プランジャ
４１   凹部
a      注射器
b      針
c      キャップ
d      引き戻し式注射器
e      シリンジ
f      ピストン
g      針
【図１】
0003106380.tif 000002
【図２】
0003106380.tif 000003
【図３】
0003106380.tif 000004
【図４】
0003106380.tif 000005
【図５】
0003106380.tif 000006
【図６】
0003106380.tif 000007
【図７】
0003106380.tif 000008
【図８】
0003106380.tif 000009
【図９】
0003106380.tif 000010
【図１０】
0003106380.tif 000011